(57)【要約】      （修正有）【課題】カールしている被印刷媒体を安定して給紙する。【解決手段】給紙カセット２１は、筐体４０、カセットソコイタ４１、サイドキセイ４２、４２、ＤＦボウシバン４３を備えている。カセットソコイタ４１の給紙側の中央及び両サイドの３箇所には、スペーサ４４ａ、４４ｂ、４４ｃが配設されている。給紙カセット２１にカールした剥離性シートを載せた場合には、スペーサ４４ａ、４４ｂ、４４ｃによって、剥離性シートの用紙送り方向先端が下側から支持されるため、剥離性シートのカールした状態とは反対に撓むことになる。そして、剥離性シートが反対に撓むことでカールが抑制される。【選択図】図２
2016185848.tif 000002
【特許請求の範囲】
【請求項１】
被印刷媒体を給紙する給紙装置であって、
前記被印刷媒体が載置される底板上の、前記被印刷媒体の搬送方向と直交方向に所定の間隔で配設され、前記載置された被印刷媒体を下から支持する複数の支持手段を備える、
ことを特徴とする給紙装置。
【請求項２】
前記複数の支持手段は、前記被印刷媒体の搬送方向と直交方向の両端と中央に配設されている、
ことを特徴とする請求項１に記載の給紙装置。
【請求項３】
前記中央に配設された支持手段は上面がＤＦボウシバンとして形成されている、
ことを特徴とする請求項２に記載の給紙装置。
【請求項４】
前記複数の支持手段は、前記被印刷媒体の搬送方向の先頭側に対応する位置に配設される、
ことを特徴とする請求項１乃至３のいずれか一項に記載の給紙装置。
【請求項５】
前記底板は、前記複数の支持手段が配設されていない領域の上面が、前記複数の支持手段の上面より、低い面を形成している、
ことを特徴とする請求項１乃至４のいずれか一項に記載の給紙装置。
【請求項６】
前記複数の支持手段は、互いに同一高さの面位置で前記被印刷媒体を支持する、
ことを特徴とする請求項１乃至５のいずれか一項に記載の給紙装置。
【請求項７】
給紙装置に収容されている被印刷媒体にトナー画像を転写する画像形成装置であって、
前記給紙装置は、
前記被印刷媒体が載置される底板上の、前記被印刷媒体の搬送方向と直交方向に所定の間隔で配設された、所定の高さを有する複数の支持手段を備える、
ことを特徴とする画像形成装置。
【発明の詳細な説明】
【技術分野】
【０００１】
本発明は、給紙装置及び画像形成装置に関する。
【背景技術】
【０００２】
従来より、Ｔシャツ、トレーナー、作業服などの布製品や、木材、金属板など被転写媒体に、所望の画像やロゴマークなどの図案を印刷する方法として、剥離性シートに被転写媒体へ熱転写すべき画像（トナー像）と被転写媒体への接着の役目をする転写基材（熱可塑性樹脂）を定着させた熱転写プリントシートを作成する方法や装置が知られている（例えば特許文献１参照）。
【０００３】
被転写媒体に転写する際には、熱転写プリントシートの転写物が定着している面（以下、表面とする）をＴシャツ等の被転写媒体に対向させて重ね合わせ、熱転写プリントシートの裏面からアイロン等で熱と圧力を加え、被転写媒体に画像を定着させる。
（例えば特許文献１参照）。
【先行技術文献】
【特許文献】
【０００４】
【特許文献１】特開２０１３−０６８８６２号公報
【発明の概要】
【発明が解決しようとする課題】
【０００５】
上述したように、熱転写プリントシートを作成する画像形成装置においては、印刷媒体とする用紙には、ラベルやシール等に使用する剥離性シートを使用する。剥離性シートの印刷面にのみ、シリコン等の表面処理がされている。このように、片面のみ表面処理をされた剥離性シートは、製品密閉状態より開封され、画像形成装置の給紙カセットにセットされる。剥離性シートは、給紙カセットにセットされた状態で時間が経過すると、カールしてしまう特性がある。
【０００６】
図５（ａ）、（ｂ）は、普通紙が搭載されている場合と剥離性シートが搭載されている場合における一般的な画像形成装置の給紙カセット１００の構造を示す断面図である。図５（ａ）において、用紙１０１（普通紙）は、ピックアップローラ１１０により給紙搬送方向に送り出される。用紙１０１（普通紙）は、環境にも大きな影響を受けず、ほぼフラットであるため、送りローラ１１１を経てガイド１１２、ターンガイド１１３に沿って用紙搬送経路１１４を送られる。
【０００７】
図５（ｂ）において、上述した用紙１０１（普通紙）に対して、剥離性シート１０２の場合には、印刷面側には表面処理が施されており、また反対面には機能上何も処理されていない。このため、表裏において環境条件により収縮差が発生し、カールを生じる。
【０００８】
このような状態でピックアップローラ１１０にて搬送されると、剥離性シート１０２にカールがあるためにガイド１１２、ターンガイド１１３に対して用紙搬送抵抗箇所となり、剥離性シート１０２の先端の耳折れ、用紙搬送遅れ等による給紙搬送不具合が発生するという問題がある。
【０００９】
そこで本発明は、カールしている被印刷媒体を安定して給紙することを目的とする。
【課題を解決するための手段】
【００１０】
この発明に係る給紙装置は、被印刷媒体を給紙する給紙装置であって、前記被印刷媒体が載置される底板上の、前記被印刷媒体の搬送方向と直交方向に所定の間隔で配設され、前記載置された被印刷媒体を下から支持する複数の支持手段を備える、ことを特徴とする。
【００１１】
この発明に係る画像形成装置は、給紙装置に収容されている被印刷媒体にトナー画像を転写する画像形成装置であって、前記給紙装置は、前記被印刷媒体が載置される底板上の、前記被印刷媒体の搬送方向と直交方向に所定の間隔で配設された、所定の高さを有する複数の支持手段を備える、ことを特徴とする。
【発明の効果】
【００１２】
この発明によれば、カールしている被印刷媒体を安定して給紙することができる。
【図面の簡単な説明】
【００１３】
【図１】本発明の実施形態による画像形成装置１の内部構成を示す断面図である。
【図２】本実施形態による給紙カセット２１の構造を示す斜視図である。
【図３】図２の矢視Ａ方向からの給紙カセット２１の断面構造を示す断面図である。
【図４】図２の矢視Ｂ方向からの給紙カセット２１の断面構造を示す断面図である。
【図５】普通紙が搭載されている場合と剥離性シートが搭載されている場合における一般的な画像形成装置の給紙カセット１００の構造を示す断面図である。
【発明を実施するための形態】
【００１４】
以下、本発明の実施の形態を、図面を参照して説明する。
【００１５】
図１は、本発明の実施形態による画像形成装置１の内部構成を示す断面図である。図において、本実施形態の画像形成装置１は、中間転写ベルトにトナー画像を転写し、二次転写部まで鉛直方向に搬送される用紙に中間転写ベルトを介してトナー像を二次転写する中間転写方式となっている。しかしながら、本発明は、中間転写方式に限らず、例えば、用紙に直接トナー像を転写する直接転写方式など、他の転写方式にも適用できるものである。
【００１６】
画像形成装置１は、画像形成部２、両面印刷用搬送ユニット３、給紙部４、及び定着部５で構成されている。画像形成部２は、４個の画像形成ユニット（現像装置）６（６−１、６−２、６−３、６−４）を多段式に並設した構成からなる。上記３個の画像形成ユニット６−１、６−２及び６−３は、それぞれ減法混色の三原色であるマゼンタ（Ｍ）、シアン（Ｃ）、イエロー（Ｙ）の色トナーによるカラー画像を形成する。上記３個の画像形成ユニット６−１、６−２、６−３に続く４番目の画像形成ユニット６−４は、ブラック（Ｋ）のモノクロ画像を形成する。これら４色のトナー画像は用紙に塗り重ねられてフルカラーの画像を形成する。
【００１７】
なお、熱転写シートを製造する場合には、画像形成ユニット６−４のトナーカートリッジ（ブラック（Ｋ））を、バインダトナーが収容されているトナーカートリッジ（バインダ（Ｂ））に交換するようになっている。
【００１８】
各画像形成ユニット６−１〜６−４は、現像ユニットに収容された現像剤の色や種類を除けば同じ構成である。したがって、以下、画像形成ユニット６−４を例にしてその構成を説明する。
【００１９】
画像形成ユニット６は、最下部に感光体ドラム７を備えている。この感光体ドラム７は、その周面が例えば有機光導電性材料で構成されている。この感光体ドラム７の周面に接して又は近傍を取り巻いて、クリーナ８、帯電ローラ９、光書込ヘッド１０、及び現像器１１の現像ローラ１２が配置されている。
【００２０】
現像器１１は、上部のトナー容器に同図にはＭ、Ｃ、Ｙ、Ｋで示すように、マゼンタ（Ｍ）、シアン（Ｃ）、イエロー（Ｙ）、ブラック（Ｋ）のいずれかのトナーを収容し、中間部には下部へのトナー補給機構を備えている。
【００２１】
また、現像器１１の下部には側面開口部に上述した現像ローラ１２を備え、内部にはトナー撹拌部材、現像ローラ１２にトナーを供給するトナー供給ローラ１３、現像ローラ１２上のトナー層を一定の層厚に規制するドクターブレード等を備えている。感光体ドラム７の帯電ローラ９と現像器１１との間に位置する上面に近接して、本体装置側の光書込ヘッド１０が配置されている。
【００２２】
また、感光体ドラム７の下面に近接して中間転写ベルト１４が配設されている。そして、この中間転写ベルト１４を間に挟んで一次転写ローラ１５が感光体ドラム７の下面に向けて押圧されている。
【００２３】
中間転写ベルト１４は、導電性カーボン又はイオン伝導物質を含有した樹脂製の導電性のシート状部材からなり、本体装置のほぼ中央で図の左右のほぼ端から端まで扁平なループ状になって延在する無端状の転写ベルトである。中間転写ベルト１４は、駆動ローラ１６と従動ローラ１７に掛け渡されて、駆動ローラ１６により図の反時計回り方向に循環駆動され、図の矢印ａ、ｂ、ｃで示す反時計回り方向に循環移動する。中間転写ベルト１４には、表面に当接してベルトクリーナ２０が配置されている。ベルトクリーナ２０は、中間転写ベルト１４上から廃トナーを除去する。
【００２４】
感光体ドラム７は、図の時計回り方向に回転する。そして先ず帯電ローラ９からの電荷付与により、感光体ドラム７の周面が一様に帯電して初期化される。次に、印字情報に基づく光書込ヘッド１０からの光書き込みにより、感光体ドラム７の周面に静電潜像が形成される。
【００２５】
そして、この静電潜像は、現像ローラ１２による現像処理によって、現像器１１に収納したトナーによりトナー像化（現像）される。感光体ドラム７の周面に現像されたトナー像は、感光体ドラム７の回転に伴われて、一次転写ローラ１５によって中間転写ベルト１４のベルト面に一次転写される。中間転写ベルト１４は、ベルト面に一次転写されたトナー像を、更に用紙２２に転写（二次転写）すべく用紙２２への転写位置まで搬送する。
【００２６】
ベルト位置制御機構１８は、中間転写ベルト１４を介して感光体ドラム７の下部周面に押圧する導電性発泡スポンジから成る一次転写ローラ１５を備えている。ベルト位置制御機構１８は、マゼンタ（Ｍ）、シアン（Ｃ）及びイエロー（Ｙ）の３個の画像形成ユニット６−１、６−２及び６−３に対応する３個の一次転写ローラ１５を不図示の駆動軸の回転によるクランクとスライダ・カム機構で同期して３個同時に上下移動させる。そして、ベルト位置制御機構１８は、ブラック（Ｋ）の画像形成ユニット６−４に対応する１個の一次転写ローラ１５を上記３個の一次転写ローラ１５の周期と同じ周期ではあるが異なるタイミングで上下移動させて中間転写ベルト１４を感光体ドラム７から離接させる。
【００２７】
すなわち、ベルト位置制御機構１８は、中間転写ベルト１４の位置を、フルカラーモード（４個全部の一次転写ローラ１５が中間転写ベルト１４を介して感光体ドラム７に当接）、モノクロモード（画像形成ユニット６−４に対応する一次転写ローラ１５のみが中間転写ベルト１４を介して感光体ドラム７に当接）、及び全非転写モード（４個全部の一次転写ローラ１５が感光体ドラム７から離れる）に切換える。
【００２８】
給紙部４は、上下２段に配置された２個の給紙カセット２１を備えている。給紙部４の給紙カセット２１のいずれか一方、あるいは双方には多枚数のカット紙状の用紙２２が収容されている。なお、熱転写プリントシートを製造する場合には、用紙２２に代えて剥離性シート１９を給紙カセット２１にセットする。２個の給紙カセット２１の給紙口（図の右方）近傍には、それぞれ用紙取出ローラ２３、給送ローラ２４、捌きローラ２５、待機搬送ローラ対２６が配置されている。
【００２９】
用紙２２は、用紙取出ローラ２３の回転によって、一枚毎に給紙カセット２１から搬出され、給送ローラ２４及び捌きローラ２５を通って待機搬送ローラ対２６に給送される。あるいは、用紙２２の厚さやサイズが特異な場合には、用紙２２は、開成された装着部２７に装着されたＭＰＦ（Multi Paper Feeder)トレー２８上から給紙コロ２９を介して待機搬送ローラ対２６に給送される。
【００３０】
待機搬送ローラ対２６の用紙搬送方向（図の鉛直上方向）には、中間転写ベルト１４を介して従動ローラ１７に圧接する二次転写ローラ３０が配設されている。これら中間転写ベルト１４、従動ローラ１７及び二次転写ローラ３０により、用紙２２への二次転写部が形成されている。
【００３１】
この二次転写部の下流（図では上方）側には、ベルト式熱定着ユニットからなる定着部５が配置されている。定着部５の更に下流側には、定着後の用紙を定着部５から搬出する搬出ローラ対３１、搬出される用紙を装置上面に形成されている排紙トレー３２に排紙する排紙ローラ対３３が配設されている。
【００３２】
両面印刷用搬送ユニット３は、搬出ローラ対３１と排紙ローラ対３３との中間部の搬送路から図の右横方向に分岐した返送路を備えている。この返送路は、開始返送路３４ａ、下方に曲がる中間返送路３４ｂ、左横方向に曲がって最終的に返送用紙を反転させる終端返送路３４ｃ、及びこれら返送路の途中に配置された４組の返送ローラ対３５ａ、３５ｂ、３５ｃ、３５ｄを備えている。上記終端返送路３４ｃの出口は、給紙部４の下方の給紙カセット２１に対応する待機搬送ローラ対２６への搬送路に連絡している。
【００３３】
図２は、本実施形態による給紙カセット２１の構造を示す斜視図である。給紙カセット２１は、筐体４０、カセットソコイタ４１、サイドキセイ４２、４２を備えている。通常、カセットソコイタ４１上に用紙が載せられる。筐体４０、サイドキセイ４２、４２については一般的な給紙カセットと同様に構成され、動作する。
【００３４】
本実施形態では、カセットソコイタ４１上に、スペーサ４４ａ、４４ｂ、４４ｃ、ＤＦボウシバン４３を備えている。なお、カセットソコイタ４１の中央に配置されているスペーサ４４ａ上に、最終紙付近の重送を防止するため、所定の摩擦係数を持ったコルクシート等の材質からなるＤＦボウシバン４３が配設されている。また、スペーサ４４ｂ、４４ｃの厚みは、スペーサ４４ｂ、４４ｃの上面とＤＦボウシバン４３の上面が互いに同一高さの面位置になるように設定されている。
【００３５】
つまり、従来はカセットソコイタ４１のと略同一面になるようにＤＦボウシバン４３が設けられていたが、本実施形態では、スペーサ４４ａの厚みとＤＦボウシバン４３の厚みの分だけ、前記スペーサ４４ａ、４４ｂ、４４ｃ、ＤＦボウシバン４３が配置されていないカセットソコイタ４１の上面より高い位置で、かつ用紙中央部と両端部の３箇所で用紙の先端側を互いに同一高さの支持手段で支えている。
【００３６】
更に換言すれば、本実施形態では、カセットソコイタ４１の前記支持手段が配設されていない領域の上面が、前記支持手段の上面の高さより、低い面を形成している。なお、本実施形態では被印刷媒体の幅をＡ４長手の寸法の時において支持手段を３箇所にしているが、更に幅広の被印刷媒体であれば支持手段の数を増やすなど、被印刷媒体のサイズ・特性に合わせた支持手段の数とするのが良い。
【００３７】
スペーサ４４ａ、４４ｂ、４４ｃは、粘着テープなどで固定されている。スペーサ４４ａ、４４ｂ、４４ｃの上面の高さや、大きさ（面積、縦横比）、更にＤＦボウシバン４３の大きさと厚みの他、剥離性シート１９の重さ（厚さ、腰の強さ）や、カールの大きさに応じて適宜設定すればよい。スペーサ４４ａ、４４ｂ、４４ｃの表面材質は用紙のエッジが引っ掛かりにくい低摩擦係数のＰＯＭ等の材料が好ましい。また、スペーサ４４ａ、４４ｂ、４４ｃの間隔は、剥離性シート１９の自重でカール方向とは直角方向に撓む力が働くように、幅方向（搬送方向の直交方向）の３割程度の長さを確保するよう配置することが好ましい。
【００３８】
なお、本実施形態では、スペーサ４４ａ、４４ｂ、４４ｃは、粘着テープなどで脱着可能に設けられているが、これに限らず、カセットソコイタ４１を成型する際に、スペーサ４４ａ、４４ｂ、４４ｃの位置に凸部を形成するようにしてもよい。その際には、先述のように低摩擦が好ましいのでＮｉめっきなどの滑りやすい表面処理と表面粗さが細かい方が良い。
【００３９】
図３（ａ）、（ｂ）は、図２の矢視Ａ方向からの給紙カセット２１の断面構造を示す断面図である。図３（ａ）には、比較のために、スペーサ４４ａ、４４ｂ、４４ｃなしの一般的な給紙カセット２１を示し、図３（ｂ）には、本実施形態による、スペーサ４４ａ、４４ｂ、４４ｃを備えた給紙カセット２１を示している。
【００４０】
図３（ａ）に示すように、一般的な給紙カセット２１にカールした剥離性シート１９を載せた場合には、剥離性シート１９は、カセットソコイタ４１に対して浮き上がり、用紙送り方向先端が下向きになった状態で載せられてしまう。これに対して、図３（ｂ）に示すように、本実施形態による給紙カセット２１にカールした剥離性シート１９を載せた場合には、スペーサ４４ａで嵩上げされたＤＦボウシバン４３、スペーサ４４ｂ、４４ｃによって、剥離性シート１９の用紙送り方向先端が下側からカセットソコイタ４１のスペーサ４４ａで嵩上げされたＤＦボウシバン４３、スペーサ４４ｂ、４４ｃが無い面より高い位置で、部分的に支持されるため、図３（ａ）に比べ、用紙送り方向先端が下向き度合いが軽減され、用紙送り方向先端がほぼ水平になっている。
【００４１】
図４（ａ）、（ｂ）は、図２の矢視Ｂ方向からの給紙カセット２１の断面構造を示す断面図である。図４（ａ）には、比較のために、スペーサ４４ａ、４４ｂ、４４ｃなしの一般的な給紙カセット２１を示し、図４（ｂ）には、本実施形態による、スペーサ４４ａ、４４ｂ、４４ｃを備えた給紙カセット２１を示している。
【００４２】
図４（ａ）に示すように、一般的な給紙カセット２１にカールした剥離性シート１９を載せた場合には、カールした剥離性シート１９が用紙端近くで浮き上がって嵩高になっているため、その分、用紙の先頭端近くでも用紙高になっている。これに対して、図３（ｂ）に示すように、本実施形態による給紙カセット２１にカールした剥離性シート１９を載せた場合には、中央にＤＦボウシバン４３、及び左右の両端にスペーサ４４ｂ、４４ｃがカセットソコイタ４１上の高い位置に配設されているため、剥離性シート１９のカールを矯正する方向に力が働き、更に剥離性シート１９は、ＤＦボウシバン４３、スペーサ４４ｂ、４４ｃがある部分では支持されているが、ＤＦボウシバン４３、スペーサ４４ｂ、４４ｃがない部分では支持されない。この結果、剥離性シート１９の自重により、図４（ｂ）に示す矢印のように、剥離性シート１９のカールした方向とは直角方向に撓む力が働くことになる。そして、剥離性シート１９がこの力により本来持っていた方向のカールが更に抑制される。
【００４３】
このように、図５（ｂ）に示すような状態で給紙されていたものが、図５（ａ）に示すように、用紙送り方向先端の下向きの度合いが普通紙を給紙する状態に近くなるため、不具合を起さずに正常に給紙される。
【００４４】
上述した実施形態によれば、剥離性シート１９が収容される給紙カセット２１のカセットソコイタ４１上に、所定の間隔を空けて複数のスペーサ４４ａ、４４ｂ、４４ｃを配置し、カセットソコイタ４１上の用紙積載平面より高い位置で、かつ用紙中央部と両端部の複数箇所で用紙の先端側を支持手段で支持することにより、カールした剥離性シート１９が自重により本来のカールを矯正し、更にカール方向と直角方向に撓む力が働くことで、剥離性シート１９のカールによる先端側下がりを抑制することができる。この結果、普通紙と同じように平坦な状態に近くすることができ、用紙両端の耳折れ、ガイドターン部分の搬送抵抗を軽減して安定して給紙することができる。
【００４５】
また、上述した実施形態によれば、複数のスペーサ４４ａ、４４ｂ、４４ｃを、剥離性シート１９の搬送方向と直交方向の両端と中央の３箇所に設け、カセットソコイタ４１上の高い位置で、かつ用紙中央部と両端部の複数箇所で用紙の先端側を支持するようにしたので、カールした剥離性シート１９が自重により本来のカールを矯正し、更にカール方向とは直角方向に撓みやすくなり、剥離性シート１９のカールによる先端側下がりを抑制することができる。なお、用紙センター部に配設されるスペーサ４４ａはＤＦボウシバン４３の設計を従来設計品と共通化するために設けているが、ＤＦボウシバン４３の厚さによっては、ＤＦボウシバン４３が実質スペーサ４４ａと同様の働きを与えることが出来るので、スペーサ４４ａを省略することも可能である。
【００４６】
また、上述した実施形態によれば、各々のスペーサ４４ａ、４４ｂ、４４ｃを、剥離性シート１９の搬送方向と直交方向の３割程度の長さを確保するように間隔を空けて配置し、カセットソコイタ４１上の高い位置で、かつ用紙中央部と両端部の複数箇所で用紙の先端側を支持するようにしたので、剥離性シート１９のカールによる送り方向先端の下向きの度合いを軽減し、カールした剥離性シート１９が自重によりカール方向とは直角方向に撓みやすくなり、剥離性シート１９のカールによる浮き上がりを更に抑制することができる。
【００４７】
また、上述した実施形態によれば、スペーサ４４ａ、４４ｂ、４４ｃを、カセットソコイタ４１上に粘着テープで固定するようにしたので、剥離性シート１９の重さ（厚さ、腰の強さ）や、カールの大きさに応じて、支持部材の高さや、大きさ（面積、縦横比）を変更することができる。
【００４８】
また、上述した実施形態によれば、カセットソコイタ４１を成型する際に、カセットソコイタ４１の一部を凸形状に成型することで、スペーサ４４ａ、４４ｂ、４４ｃを形成するようにしたので、スペーサ４４ａ、４４ｂ、４４ｃを取り付ける煩わしさを軽減することができる。
【００４９】
以上、この発明のいくつかの実施形態について説明したが、この発明は、これらに限定されるものではなく、特許請求の範囲に記載された発明とその均等の範囲を含むものである。
以下に、本願出願の特許請求の範囲に記載された発明を付記する。
【００５０】
（付記１）
付記１に記載の発明は、被印刷媒体を給紙する給紙装置であって、前記被印刷媒体が載置される底板上の、前記被印刷媒体の搬送方向と直交方向に所定の間隔で配設され、前記載置された被印刷媒体を下から支持する複数の支持手段を備える、ことを特徴とする給紙装置である。
【００５１】
（付記２）
付記２に記載の発明は、前記複数の支持手段は、前記底板上の、前記被印刷媒体の搬送方向と直交方向の両端と中央に配設されている、ことを特徴とする付記１に記載の給紙装置である。
【００５２】
（付記３）
付記３に記載の発明は、前記中央に配設された支持手段は上面がＤＦボウシバンとして形成されている、ことを特徴とする付記２に記載の給紙装置である。
【００５３】
（付記４）
付記４に記載の発明は、前記複数の支持手段は、前記被印刷媒体の搬送方向の先頭側に対応する位置に配設される、ことを特徴とする付記１乃至３のいずれか一つに記載の給紙装置である。
【００５４】
（付記５）
付記５に記載の発明は、前記底板は、前記複数の支持手段が配設されていない領域の上面が、前記複数の支持手段の上面より、低い面を形成している、ことを特徴とする付記１乃至４のいずれか一つに記載の給紙装置である。
【００５５】
（付記６）
付記６に記載の発明は、前記複数の支持手段は、互いに同一高さの面位置で前記被印刷媒体を支持する、ことを特徴とする付記１乃至５のいずれか一つに記載の給紙装置である。
【００５６】
（付記７）
付記７に記載の発明は、給紙装置に収容されている被印刷媒体にトナー画像を転写する画像形成装置であって、前記給紙装置は、前記被印刷媒体が載置される底板上の、前記被印刷媒体の搬送方向と直交方向に所定の間隔で配設された、所定の高さを有する複数の支持手段を備える、ことを特徴とする画像形成装置である。
【符号の説明】
【００５７】
１  画像形成装置
２  画像形成部
３  両面印刷用搬送ユニット
４  給紙部
５  定着部
６（６−１、６−２、６−３、６−４）  画像形成ユニット
７  感光体ドラム
８  クリーナ
９  帯電ローラ
１０  光書込ヘッド
１１  現像器
１２  現像ローラ
１３  トナー供給ローラ
１４  中間転写ベルト
１５  一次転写ローラ
１６  駆動ローラ
１７  従動ローラ
１８  ベルト位置制御機構
１９  剥離性シート
２０  ベルトクリーナ
２１  給紙カセット
２２  用紙（被印刷媒体）
２３  用紙取出ローラ
２４  給送ローラ
２５  捌きローラ
２６  待機搬送ローラ対
２７  装着部
２８  ＭＰＦ（Multi Paper Feeder)トレー
２９  給紙コロ
３０  二次転写ローラ
３１  搬出ローラ対
３２  排紙トレー
３３  排紙ローラ対
３４ａ  開始返送路
３４ｂ  中間返送路
３４ｃ  終端返送路
３５ａ、３５ｂ、３５ｃ、３５ｄ  返送ローラ対
４０  筐体
４１  カセットソコイタ
４２  サイドキセイ
４３  ＤＦボウシバン
４４ａ、４４ｂ、４４ｃ  スペーサ
【図１】
2016185848.tif 000003
【図２】
2016185848.tif 000004
【図３】
2016185848.tif 000005
【図４】
2016185848.tif 000006
【図５】
2016185848.tif 000007